(57)【要約】【課題】            引抜耐力の高いスクリューリング釘およびスクリューリング釘であっても、金属線との連結が強固なスクリューリング釘の連結体を提供する。【解決手段】        頭部、軸部および尖鋭の先端部で構成され、軸部に、引抜方向に逆目となる係止歯がリング加工されて複数列設されたリング加工部と、スクリュー加工されそのスクリューの山の部分に引抜方向に逆目となる係止歯が複数リング加工されたスクリューリング部と、が形成されたスクリューリング釘が、前記リング加工部が金属線またはシートテープに連結されて並列保持されている。【選択図】          図１
0003147209.tif 000002
【実用新案登録請求の範囲】
【請求項１】
頭部、軸部および尖鋭の先端部で構成され、軸部に、引抜方向に逆目となる係止歯がリング加工されて複数列設されたリング加工部と、スクリュー加工され、そのスクリューの山の部分に引抜方向に逆目となる係止歯が複数リング加工されたスクリューリング部と、が形成されていることを特徴とするスクリューリング釘。
【請求項２】
前記スクリューリング釘の頭部は、軸部に連続する顎部を除き、周面からフラットな上面にかけて滑らかに連続する円弧面に形成されていることを特徴とする請求項１記載のスクリューリング釘。
【請求項３】
頭部、軸部および尖鋭の先端部で構成され、軸部に、引抜方向に逆目となる係止歯がリング加工されて複数列設されたリング加工部と、スクリュー加工されそのスクリューの山の部分に引抜方向に逆目となる係止歯が複数リング加工されたスクリューリング部と、が形成されたスクリューリング釘が、前記リング加工部が金属線またはシートテープに連結されて並列保持されていることを特徴とするスクリューリング釘の連結体。
【請求項４】
前記スクリューリング釘の頭部は、軸部に連続する顎部を除き、周面からフラットな上面にかけて滑らかに連続する円弧面に形成されていることを特徴とする請求項３記載のスクリューリング釘の連結体。
【考案の詳細な説明】
【技術分野】
【０００１】
この考案は、スクリューリング釘およびスクリューリング釘を連続して打つことができる釘打機に装填して使用するスクリューリング釘の連結体に関する。
【背景技術】
【０００２】
従来、釘やリベット等を多数並列して保持する連結体として、釘やリベット等を平行する２本の針金で支持するものも知られている（例えば、特許文献１および２参照）。この釘やリベット等を平行する２本の針金で支持するものは、釘やリベットは針金に溶接されたり、針金で巻き付けられて支持されている。これらの釘、リベット等の連結体は、それぞれの自動打込機のマガジンに装填され、作動機構によって駆動され釘等が１本づつ供給され打ち込まれるものである。
【０００３】
また、従来、スクリュー加工とリング加工が施されたスクリューリング釘が提供されている（例えば、特許文献３および４参照）。図４は、このようなスクリューリング釘１２を平行する２本の針金１３、１３で溶接して支持した連結体１１を示している。
【特許文献１】特公昭３９−２５８号公報
【特許文献２】特許第３５１１９１１号公報
【特許文献３】実開昭５４−５２５６２号公報
【特許文献４】実公昭５６−２８３２９号公報
【考案の開示】
【考案が解決しようとする課題】
【０００４】
しかし、図４に示す連結体１１では、スクリューリング釘１２を溶接１４して針金１３に支持させているが、スクリューリング釘１２は、スクリュー加工とリング加工が施されているため、針金１３はスクリュー加工の山部と接触し、しかもこの山部にはリング加工の溝が存在するため接触面積が小さく、従って溶接部分の付着力が弱いものとなる。このため釘打機による打ち込み時に、連結材としての針金１３を分断し、スクリューリング釘１２に固着して一緒に打ち込まれようとする針金片は、対象物に打ち込まれる時に離脱し周囲に飛散して散乱すると共に、作業者を傷つける課題がある。
【０００５】
かといってスクリューリング釘の針金での支持部（溶接部）を平滑面とするのは、その部分で引抜耐力が低下するので、スクリューリング釘の全体でも、その分引抜耐力が低下する課題がある。
この考案は、このような課題を解決したスクリューリング釘およびその連結体を提供せんとするものである。
【課題を解決するための手段】
【０００６】
前記課題を解決するため、この考案に係るスクリューリング釘は、頭部、軸部および尖鋭の先端部で構成され、軸部に、引抜方向に逆目となる係止歯がリング加工されて複数列設されたリング加工部と、スクリュー加工され、そのスクリューの山の部分に引抜方向に逆目となる係止歯が複数リング加工されたスクリューリング部と、が形成されていることを特徴とする。
【０００７】
この構成によりスクリューリング釘は、対象物への打ち込み時には、スクリューによって回転が与えられつつ進入するし、リング加工された係止歯は、打ち込み方向には順目となり進入を許容するので、打ち込みは容易となるが、引抜方向にはスクリュー加工とリング加工（係止歯）とが施されているので、スクリューによる締結力と引抜方向に逆目となる係止歯の引抜きに対する抵抗力が発揮され、釘の引抜耐力が高いものとなる。従って、仮に釘に抜き方向の力が作用したり、釘打ちした対象物、例えばパレットに振動が加わった場合でも、引抜き方向への大きな抵抗力によってスクリューリング釘が釘打ちした対象物（例えば、パレット）から浮上することもない。
【０００８】
また、この考案に係るスクリューリング釘は、前記スクリューリング釘の頭部が、軸部に連続する顎部を除き、周面からフラットな上面にかけて滑らかに連続する円弧面に形成されていることを特徴とする。
この構成により前記作用の他に、釘打ち対象物に打ち込んだスクリューリング釘が、釘打ち対象物の振動その他の原因で、万一釘打ち対象物の表面から浮上した場合でも、その釘の頭部が周面からフラットな上面にかけて滑らかな円弧面であるために、釘打ち対象物（例えば、パレット）上に載せた運搬物等の底面に損傷を与えることを防止できる。
【０００９】
また、この考案に係るスクリューリング釘の連結体は、頭部、軸部および尖鋭の先端部で構成され、軸部に、引抜方向に逆目となる係止歯がリング加工されて複数列設されたリング加工部と、スクリュー加工されそのスクリューの山の部分に引抜方向に逆目となる係止歯が複数リング加工されたスクリューリング部と、が形成されたスクリューリング釘が、前記リング加工部が金属線またはシートテープに連結されて並列保持されていることを特徴とする。
【００１０】
この構成によりスクリューリング釘の連結体は、スクリューリング釘が軸部のリング加工部において金属線またはシートテープに連結されて、例えば、金属線に溶接されて並列保持されているので、スクリューリング部で溶接する場合に比較して金属線との溶接による付着力が強固となり、打ち込み時に金属線から分断された金属線片は、スクリューリング釘に付着したままスクリューリング釘と一緒に対象物に打ち込まれる。従って、金属線片は、スクリューリング釘と離脱することなく、周囲に散乱することも、作業者を傷つけることもない。
また、対象物にスクリューリング釘と一緒に打ち込まれた金属線片は、スクリューリング釘の抜け止めとして作用し、引抜耐力はさらに向上する。さらに、スクリューリング釘の金属線（針金）に溶接される部分にも引抜方向に逆目となる係止歯がリング加工されているので、引抜耐力が低下することもない。
なお、この連結体のスクリューリング釘は、前記したスクリューリング釘と同じ構成なので同様の作用、効果を奏することはいうまでもない。
【００１１】
また、前記スクリューリング釘の連結体におけるスクリューリング釘の頭部は、軸部に連続する顎部を除き、周面からフラットな上面にかけて滑らかに連続する円弧面に形成されていることを特徴とする。
この構成により前記スクリューリング釘の連結体の作用の他に、釘打ち対象物に打ち込んだスクリューリング釘が、釘打ち対象物の振動その他の原因で、万一釘打ち対象物の表面から浮上した場合でも、その釘の頭部が周面からフラットな上面にかけて滑らかな円弧面であるために、釘打ち対象物（例えば、パレット）上に載せた運搬物等の底面に損傷を与えることを防止できる。
【考案の効果】
【００１２】
この考案のスクリューリング釘およびその連結体によれば、次のような効果を奏する。
（１）スクリューリング釘は、対象物への打ち込み時には、スクリューによって回転が与えられつつ進入するし、リング加工された係止歯は、打ち込み方向には順目となり進入を許容するので、打ち込みは容易であり、引抜方向にはスクリュー加工と係止歯のリング加工とが施されているので、スクリューによる締結力と引抜方向に逆目となる係止歯の引抜きに対する抵抗力の相乗効果で、釘の引抜耐力が非常に高い効果を奏する。
【００１３】
（２）従来のスクリューリング釘より引き抜き強度（引抜耐力）が増大するので、パレット等に使用すると、パレットに荷物を載置してフォークリフト等で持ち上げても、パレットを形成する板がはがれる等の事故が低減され、強固なパレットができる。また、パレットを形成する板より打ち込んだスクリューリング釘が抜け出し、その板より突出した釘でパレットに載置した荷物を傷つけることもない。
（３）引抜耐力が高いので、同じ引き抜き強度を必要とする場合、１ランク短い釘で対応でき、鋼材等の資源削減がはかれる。
【００１４】
（４）また、釘打ち対象物に打ち込んだスクリューリング釘が、釘打ち対象物の振動その他の原因で、万一釘打ち対象物の表面から浮上した場合でも、その釘の頭部が周面からフラットな上面にかけて滑らかな円弧面であるために、釘打ち対象物（例えば、パレット）上に載せた運搬物等の底面に損傷を与えることを防止できる。
【００１５】
（５）スクリューリング釘の連結体は、スクリューリング釘が軸部のリング加工部において金属線に溶接されて並列保持されているので、スクリューリング加工部に溶接するより溶接による付着力が強固となり、打ち込み時に金属線から分断された金属線片は、スクリューリング釘に固着したままスクリューリング釘と一緒に対象物に打ち込まれる。従って、打ち込み時に金属線から分断された金属線片がスクリューリング釘と離脱することなく周囲に散乱することも、作業者を傷つけることもない。
【００１６】
（６）また、対象物にスクリューリング釘と一緒に打ち込まれた金属線片は、打ち込まれたスクリューリング釘の抜け止めとして作用し、引抜耐力も向上する。
（７）さらに、スクリューリング釘の金属線に溶接される部分にも引抜方向に逆目となる係止歯がリング加工されているので、引抜耐力が低下することもない。
（８）また、このスクリューリング釘の連結体によれば、従来通りの釘打機で使用できる。
【考案を実施するための最良の形態】
【００１７】
以下、この考案の実施の形態を図面を参照して詳細に説明する。図１は、この考案の実施の形態を示すスクリューリング釘の正面図、図２は、スクリューリング釘の打ち込み状態を示す断面説明図（ａ）（ｂ）である。
【００１８】
図１に示すようにスクリューリング釘１０は、頭部１、軸部３および尖鋭の先端部２で構成されている。頭部１の形状は、従来公知のものを採用でき、特に制限はないが、本例では図１に示すように軸部３に連続する顎部１ｃを除き、周面１ｄからフラットな上面１ａにかけて滑らかに連続する円弧面に形成されている。このような頭部１の形状とすると、図２（ａ）に示すように釘打ち対象物９に打ち込んだスクリューリング釘１０が、釘打ち対象物９の振動その他の原因で、万一、図２（ｂ）に示すように釘打ち対象物９の表面から浮上した場合でも、その釘の頭部１が周面１ｄからフラットな上面１ａにかけて滑らかな円弧面であるために、釘打ち対象物（例えば、パレット）９上に載置した運搬物等の底面に損傷を与えることがないので好ましい。
【００１９】
また、尖鋭の先端部２の形状は、従来公知のものが採用でき、特に限定されるものではない。例えば、ダイヤモンドポイト、チゼルポイント（ノミ先）およびポイントレス等を挙げることができる。
【００２０】
また、軸部３には、引抜方向（矢印Ａ方向）に逆目となる係止歯６がリング加工されて複数列設されたリング加工部７と、スクリュー加工され、そのスクリュー５の山の部分に引抜方向（矢印Ａ方向）に逆目となる係止歯６が複数リング加工されたスクリューリング部４と、が形成されている。
リング加工される係止歯６は、上端に向けて漸次拡がるテーパ周面６ｂの上端から軸部３の軸心に直角または鋭角に向かう段部６ａで形成され、これが複数列設されリング加工部７となっている。従って、係止歯６は、スクリューリング釘１０の引抜方向には段部６ａが打ち込み対象物（例えば、木材の繊維）に係止される引抜抵抗として作用する、いわゆる逆目となり、打ち込み方向には、テーパ周面６ｂにより打ち込み対象物（例えば、木材の繊維）による障害はなく進入を許容する、いわゆる順目となる。
【００２１】
スクリューリング部４は、スクリュー加工され、そのスクリュー５の山の部分に引抜方向に逆目となる係止歯６が複数リング加工されて形成されている。本例のスクリューリング部４は、先に前記と同様の係止歯６を複数列設して形成し、その上にスクリュー加工しスクリュー５を形成する方法において、スクリュー５の山の部分に引抜方向に逆目となる係止歯６が複数リング加工されたスクリューリング部４を形成したが、これはスクリュー５を先に形成した後に、スクリュー５の山の部分に係止歯６をリング加工してもよい。
スクリュー５のリード角、山と山の間隔、スクリュー５の谷の底部の間隔（幅）およびスクリュー５の山の高さ等は、使用する対象物によって適宜選択する。例えば、スクリュー５のリード角度を大きく（鋭角に）すると打ち込み易くなり、リード角度を小さく（鈍角に）すると引き抜き耐力を大きくすることができる。
【００２２】
しかして、前記スクリューリング釘１０によれば、釘打ち対象物９への打ち込み時には、スクリュー５によって回転が与えられつつ進入するし、リング加工された係止歯６は、打ち込み方向には順目となり進入を許容するので、打ち込みは容易となるが、引抜方向にはスクリュー５加工とリング加工（係止歯６）とが施されているので、スクリュー５による締結力と引抜方向に逆目となる係止歯６の引き抜きに対する抵抗力が発揮され、釘の引抜耐力が高いものとなる。
従って、仮に打ち込んだスクリューリング釘１０に引抜方向の力が作用したり、釘打ちした対象物９、例えばパレットに振動が加わった場合でも、引き抜き方向への大きな抵抗力によってスクリューリング釘１０が釘打ちした対象物９（例えばパレット）から浮上することもない。
【００２３】
次に、この考案の実施の形態に係るスクリューリング釘の連結体について、図３を参照して説明する。図３は、この考案の実施の形態を示すスクリューリング釘の連結体の斜視図である。
スクリューリング釘１０の連結体は、スクリューリング釘１０が金属線またはシートテープに連結されて複数が並列保持されて構成されている。図３ではスクリューリング釘１０が金属線８に溶接によって連結されている場合を示している。
【００２４】
スクリューリング釘１０は、前記したものと同じものであり、頭部１、軸部３および尖鋭の先端部２で構成され、軸部３に、引抜方向に逆目となる係止歯６がリング加工されて複数列設されたリング加工部７と、スクリュー加工されそのスクリュー５の山の部分に引抜方向に逆目となる係止歯６が複数リング加工されたスクリューリング部４とで構成されている。頭部１の形状、スクリュー５の構成、係止歯６の構成、等も前記したスクリューリング釘１０と同様なので同一符号を付して詳細な説明は省略する。従って、このスクリューリング釘１０も前記したと同様の作用、効果を備えるものである。
【００２５】
このスクリューリング釘１０は、軸部３の中間に所定間隔をおいて少なくとも２ヶ所にリング加工部７が設けられ、スクリューリング釘１０は、該リング加工部７において上下に平行する２本の金属線（例えば、ワイヤ）８、８に溶接によって連結され、複数が並列保持されている。
ここでスクリューリング釘１０をリング加工部７において金属線８に溶接して連結するのは、スクリューリング釘１０と金属線８との溶接による連結を強固にするためにであり、スクリューリング部４で溶接すると、金属線８はスクリュー５の山部と接触し、しかもこの山部には係止歯６が存在するため接触面積が小さく、従って、溶接部分の付着力が弱いものとなるからであり、スクリューリング釘１０と金属線８の付着力が弱いと、釘打機による打ち込み時に、金属線８を分断しスクリューリング釘１０に固着して一緒に対象物に打ち込まれようとする金属線片は、対象物に打ち込まれるときに離脱し周囲に飛散し散乱すると共に、作業者を傷つけるおそれがあるので好ましくない。
【００２６】
このように構成されたスクリューリング釘１０の連結体は、渦巻状に束ねられて釘打機のマガジンに装填されて使用される。この装填されたスクリューリング釘の連結体は、並列保持されたスクリューリング釘１０の先頭のものから、釘打機の釘送り機構によって順次送り出されノーズ部に供給され、釘打機のドライバにより打撃して対象物である、例えば資材搬送用のパレット構成部材に打ち込まれる。従って、対象物、例えばパレットは迅速に組み付けられる。
【００２７】
しかして、この対象物への打ち込みに際し前記スクリューリング釘１０の連結体によれば、スクリューリング釘の連結体は、スクリューリング釘１０が軸部３のリング加工部７において金属線（例えば、ワイヤ）８に溶接されて並列保持されているので、スクリューリング部４で溶接する場合に比較して金属線８との溶接による付着力が強固となり、打ち込み時に金属線８から分断された金属線片は、スクリューリング釘１０に付着したままスクリューリング釘１０と一緒に対象物に打ち込まれる。従って、金属線片は、スクリューリング釘１０と離脱することなく、周囲に散乱することも、作業者を傷つけることもない。
また、対象物にスクリューリング釘１０と一緒に打ち込まれた金属線片は、打ち込み対象物である木材の繊維に係止し引き抜き抵抗として作用し、引抜耐力がさらに向上する。
さらに、スクリューリング釘１０の金属線８に溶接される部分は、係止歯６のリング加工部７なので、溶接される部分にも引抜方向に逆目となる係止歯６が存在し、引抜耐力が低下することもない。
【００２８】
なお、前記実施の形態は、この考案を制限するものではなく、この考案は要旨を逸脱しない範囲において種々の変形が許容される。
【図面の簡単な説明】
【００２９】
【図１】この考案の実施の形態を示すスクリューリング釘の正面図である。
【図２】スクリューリング釘の打ち込み状態を示す断面説明図（ａ）（ｂ）である。
【図３】この考案の実施の形態を示すスクリューリング釘の連結体の斜視図である。
【図４】従来例を示す斜視図である。
【符号の説明】
【００３０】
１  頭部
２  先端部
３  軸部
４  スクリューリング部
５  スクリュー
６  係止歯
６ａ  段部
６ｂ  テーパ周面
７  リング加工部
８  金属線
１０  スクリューリング釘
【図１】
0003147209.tif 000003
【図２】
0003147209.tif 000004
【図３】
0003147209.tif 000005
【図４】
0003147209.tif 000006